(57)【要約】【課題】洗浄槽の後方に水滴が落ちることを抑制できる食器洗浄装置を提供する。【解決手段】食器洗浄装置１は、筐体２と、筐体２の内部に入った位置と、筐体２から引き出された位置との間を移動可能に設置され、上面開口３ａを有する洗浄槽３と、筐体２の内部に設置され、洗浄時に洗浄槽３の上面開口３ａを塞ぐ蓋体４と、洗浄槽３が筐体２から引き出されるときに、蓋体４の下面に付着している水滴９０を除去する水滴除去手段と、を備える。水滴除去手段は、蓋体４の下面に向けて気流を吹き出す気流吹出部９を備える。【選択図】図１
2018033517.tif 000002
【特許請求の範囲】
【請求項１】
筐体と、
前記筐体の内部に入った位置と、前記筐体から引き出された位置との間を移動可能に設置され、上面開口を有する洗浄槽と、
前記筐体の内部に設置され、洗浄時に前記洗浄槽の前記上面開口を塞ぐ蓋体と、
前記洗浄槽が前記筐体から引き出されるときに、前記蓋体の下面に付着している水滴を除去する水滴除去手段と、
を備える食器洗浄装置。
【請求項２】
前記水滴除去手段は、前記蓋体の前記下面に向けて気流を吹き出す気流吹出部を備える請求項１に記載の食器洗浄装置。
【請求項３】
前記洗浄槽内の食器を乾燥させる乾燥工程を行う手段を備え、
前記水滴除去手段は、前記乾燥工程の終了後に前記洗浄槽が前記筐体から引き出されるときには、前記気流吹出部から気流を吹き出さない請求項２に記載の食器洗浄装置。
【請求項４】
前記洗浄槽内へ送風する送風ファンと、
前記送風ファンにより発生した気流の少なくとも一部を前記気流吹出部へ導く風路と、
を備える請求項２または請求項３に記載の食器洗浄装置。
【請求項５】
前記水滴除去手段は、前記蓋体の前記下面を拭うワイパーを備える請求項１に記載の食器洗浄装置。
【請求項６】
前記ワイパーは、前記蓋体が前記洗浄槽の前記上面開口を塞いだときには前記蓋体と前記洗浄槽との隙間を封止する請求項５に記載の食器洗浄装置。
【請求項７】
前記ワイパーを前記蓋体の前記下面に押し付ける付勢装置を備える請求項５に記載の食器洗浄装置。
【請求項８】
前記洗浄槽内の食器を乾燥させる乾燥工程を行う手段を備え、
前記乾燥工程の終了後に前記洗浄槽が前記筐体から引き出されるときには、前記ワイパーが前記蓋体の前記下面に押し付けられないように前記付勢装置が動作する請求項７に記載の食器洗浄装置。
【発明の詳細な説明】
【技術分野】
【０００１】
本発明は、食器洗浄装置に関する。
【背景技術】
【０００２】
システムキッチンなどに組み込まれるビルトインタイプの食器洗浄装置が広く用いられている。下記特許文献１に開示された食器洗浄装置は、筐体と、筐体内部から手前に引き出し可能な洗浄槽（１）と、洗浄槽（１）の後方に取り付けられた乾燥用ファン（６）と、洗浄時に洗浄槽（１）の上面開口を塞ぐ蓋体と、を備える。蓋体は、筐体内部に設置され、上下に移動可能になっている。
【先行技術文献】
【特許文献】
【０００３】
【特許文献１】特開２００６−３４０９９６号公報
【発明の概要】
【発明が解決しようとする課題】
【０００４】
洗浄工程の途中で、ユーザーが洗浄槽を引き出そうとする場合がある。例えば、追加の食器をユーザーが洗浄槽に入れようとしたり、異音がするなどの何らかの理由で装置内部をユーザーが確認しようとしたりする場合である。洗浄工程中は、蓋体の下面に水滴が付着している。洗浄工程の途中で洗浄槽が引き出されると、蓋体の下面に付着していた水滴が、洗浄槽の後方に落下する可能性がある。洗浄槽の後方には、例えば、乾燥用のファン、ファンに給電するための配線、配線を接続するコネクタなどの電装品が設置されている。長期間の使用において、上記のようにして蓋体から落下した水滴が、そのような電装品に付着することが繰り返されると、場合によっては、絶縁不良などの悪影響を生じる可能性がある。
【０００５】
本発明は、上述のような課題を解決するためになされたもので、洗浄槽の後方に水滴が落ちることを抑制できる食器洗浄装置を提供することを目的とする。
【課題を解決するための手段】
【０００６】
本発明に係る食器洗浄装置は、筐体と、筐体の内部に入った位置と、筐体から引き出された位置との間を移動可能に設置され、上面開口を有する洗浄槽と、筐体の内部に設置され、洗浄時に洗浄槽の上面開口を塞ぐ蓋体と、洗浄槽が筐体から引き出されるときに、蓋体の下面に付着している水滴を除去する水滴除去手段と、を備えるものである。
【発明の効果】
【０００７】
本発明の食器洗浄装置によれば、洗浄槽が筐体から引き出されるときに、蓋体の下面に付着している水滴を除去する水滴除去手段を備えたことにより、洗浄槽の後方に水滴が落ちることを抑制することが可能となる。
【図面の簡単な説明】
【０００８】
【図１】実施の形態１による食器洗浄装置を示す模式的な断面図である。
【図２】実施の形態１による食器洗浄装置の機能ブロック図である。
【図３】実施の形態１の食器洗浄装置が備える気流吹出部を説明するための模式的な断面図である。
【図４】実施の形態２による食器洗浄装置を示す模式的な断面図である。
【図５】実施の形態２の食器洗浄装置が備える洗浄槽及び蓋体の一部分とワイパーを示す断面図である。
【図６】実施の形態３による食器洗浄装置を示す模式的な断面図である。
【図７】実施の形態３による食器洗浄装置が備える付勢装置の構成を説明するための断面図である。
【図８】実施の形態４による食器洗浄装置が備える付勢装置の構成を説明するための断面図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１による食器洗浄装置１を示す模式的な断面図である。図１に示す本実施の形態１の食器洗浄装置１は、例えばシステムキッチンなどに組み込まれて使用されるビルトインタイプの食器洗浄装置である。図１において、左側が食器洗浄装置１の「前」であり、右側が食器洗浄装置１の「後ろ」である。食器洗浄装置１は、筐体２、洗浄槽３、及び蓋体４を備える。筐体２は、システムキッチンなどに収容されるように設置される。筐体２は、前面開口２ａを有する。筐体２の前面開口２ａから洗浄槽３が出入りする。
【００１１】
洗浄槽３は、筐体２の内部に入った位置と、筐体２から前方へ引き出された位置との間を移動可能に設置されている。図１は、洗浄槽３が筐体２から引き出される途中の位置にある状態を示している。食器洗浄装置１は、洗浄槽３をスライド移動可能にする、例えばレールのようなガイド機構（図示省略）を備える。洗浄槽３の前面には、取っ手及び後述する操作部１５が設けられた前扉が取り付けられるが、図１では省略している。
【００１２】
洗浄槽３は、洗浄対象物である食器を収納可能な内部空間を有する。洗浄時には洗浄槽３内に洗浄水を溜めることができる。洗浄槽３は、当該内部空間の上面が開口した上面開口３ａを有する。洗浄槽３を筐体２から引き出すことで、上面開口３ａから洗浄槽３内に食器を出し入れできる。洗浄槽３の内部には、食器を保持する食器かご（図示省略）が配置される。洗浄槽３内の底部には、当該食器かごの下方に位置する洗浄ノズル５が設置されている。洗浄ノズル５は、洗浄水を噴射する。洗浄ノズル５は、鉛直方向の回転軸を中心に回転可能である。
【００１３】
洗浄槽３の後方の外側には、送風ファン６が取り付けられている。送風ファン６は、乾燥工程のときに洗浄槽３内に送風する。送風ファン６には、電気配線７がコネクタ８を介して接続されている。筐体２に備えられた電源部（図示省略）から電気配線７を介して送風ファン６へ電力が供給される。電気配線７の長さは、洗浄槽３が引き出されたときに延び切らないようになっている。
【００１４】
蓋体４は、筐体２の内部の上方に配置されている。蓋体４は、洗浄時などに洗浄槽３の上面開口３ａを塞ぐ。蓋体４が上面開口３ａを塞いだ状態では、洗浄槽３と蓋体４との隙間がシール部材（図示省略）により封止されることで密閉される。食器洗浄装置１は、蓋体４を上下方向に変位させる駆動機構（図示省略）を備えている。当該駆動機構は、例えばリンク機構を用いたものでもよい。洗浄槽３を筐体２内へ収納すると、蓋体４が下降して洗浄槽３の上面開口３ａを塞ぐ。洗浄槽３が筐体２から引き出されるときには、蓋体４が上昇することで、洗浄槽３が移動可能になる。
【００１５】
食器洗浄装置１による洗浄中は、洗浄ノズル５から噴射される洗浄水によって蓋体４の下面が濡れている。本実施の形態の食器洗浄装置１は、洗浄槽３が筐体２から引き出されるときに、蓋体４の下面に付着している水滴９０を洗浄槽３内へ落として除去するための水滴除去手段を備える。この水滴除去手段は、蓋体４の下面に向けて気流を吹き出す気流吹出部９を備える。気流吹出部９は、洗浄槽３の後面の壁の上端部に配置されている。気流吹出部９の詳細については後述する。
【００１６】
図２は、実施の形態１による食器洗浄装置１の機能ブロック図である。図１では図示を省略したが、食器洗浄装置１は、給水弁１１、洗浄ポンプ１２、排水ポンプ１３、ヒータ１４、操作部１５、引き出し検出装置１６、及び制御装置５０をさらに備える。図２に示すように、送風ファン６、給水弁１１、洗浄ポンプ１２、排水ポンプ１３、ヒータ１４、操作部１５、及び引き出し検出装置１６は、それぞれ、制御装置５０に対して電気的に接続されている。
【００１７】
制御装置５０は、食器洗浄装置１の運転を制御する。本実施の形態では、制御装置５０は、洗い工程、すすぎ工程、及び乾燥工程を順に行うように制御する。
【００１８】
給水弁１１が開閉することで洗浄槽３内への給水の開始及び停止が制御される。洗浄ポンプ１２は、洗浄水を洗浄ノズル５から噴射させる。排水ポンプ１３は、洗浄槽３内の洗浄水を外部へ排水する。ヒータ１４は、洗浄水を加熱する。乾燥工程のときに洗浄槽３内の空気をヒータ１４で加熱してもよい。または、乾燥用のヒータをヒータ１４とは別個に備えてもよい。操作部１５は、ユーザー操作を受け付ける。ユーザーは、操作部１５を操作することで、例えば、運転コースの選択、運転の開始及び一時停止、などを操作することができる。
【００１９】
引き出し検出装置１６は、洗浄槽３が筐体２から引き出されることを検出する。例えば、引き出し検出装置１６は、洗浄槽３の位置または移動を検出することで、洗浄槽３が筐体２から引き出されることを検出してもよい。あるいは、引き出し検出装置１６は、洗浄槽３の前扉の取っ手が握られたことを検出し、取っ手が握られた場合に洗浄槽３が筐体２から引き出されることを検出してもよい。
【００２０】
図３は、本実施の形態１の食器洗浄装置１が備える気流吹出部９を説明するための模式的な断面図である。気流吹出部９は、気流を吹き出す吹出口９ａを有する。吹出口９ａは、食器洗浄装置１の左右方向、すなわち図３の紙面に垂直な方向に沿って、細長く延びるスリット状を呈する。送風ファン６が運転されると、送風ファン６で生成された気流の一部が、風路１０を通って気流吹出部９へ流れ、吹出口９ａから吹き出される。
【００２１】
制御装置５０は、洗浄を開始した後に、洗浄槽３が筐体２から引き出されることが引き出し検出装置１６により検出された場合には、送風ファン６を運転し、気流吹出部９の吹出口９ａから気流を吹き出させる。洗浄槽３が筐体２から引き出されると、吹出口９ａから吹き出された気流が蓋体４の下面に吹き付けられながら、気流吹出部９が蓋体４の下面に沿って図３中の左方向へ移動する。吹出口９ａからの気流を蓋体４の下面に吹き付けながら気流吹出部９が蓋体４に対して移動することで、蓋体４の下面に付着していた水滴９０が、蓋体４の下面から離れて、気流吹出部９の前方の空間、すなわち洗浄槽３の内部空間へ落下する。蓋体４の下面に食品カスなどの固形物（以下、単に「食品カス」と称する）が付着していた場合には、食品カスも気流によって蓋体４の下面から除去される。
【００２２】
上記のようにして、蓋体４の下面に付着していた水滴９０及び食品カスが除去されることで、以下の効果が得られる。蓋体４の下面に付着していた水滴９０及び食品カスが洗浄槽３の後方へ落下することを確実に防止できる。洗浄槽３の後方にある、送風ファン６、電気配線７、コネクタ８などの電装品に水滴９０及び食品カスが付着することを確実に防止できる。水滴９０及び食品カスが付着することによる電装品への悪影響が発生することを確実に防止できる。
【００２３】
気流吹出部９の吹出口９ａは、斜め上かつ斜め前に向かって、気流を吹き出す。このような方向に気流が吹き出されることで、蓋体４の下面に付着していた水滴９０及び食品カスを、気流吹出部９の前方の空間、すなわち洗浄槽３の内部空間へ、より確実に落下させることができる。
【００２４】
制御装置５０は、洗い工程またはすすぎ工程の途中で洗浄槽３が筐体２から引き出されるときには、上記のようにして気流吹出部９から気流を吹き出させるように制御する。
【００２５】
乾燥工程のときにも、途中までは、蓋体４の下面に水滴９０が付着している可能性がある。このため、乾燥工程の途中で洗浄槽３が筐体２から引き出されるときにも、制御装置５０は、気流吹出部９から気流を吹き出させることが望ましい。
【００２６】
乾燥工程が終了した場合には、蓋体４の下面に水滴９０が付着している可能性はないと考えられる。このため、乾燥工程の終了後に洗浄槽３が筐体２から引き出されるときには、制御装置５０は、気流吹出部９から気流を吹き出さないように制御する。これにより、不必要な電力消費を防止できる。
【００２７】
食器洗浄装置１は、送風ファン６から洗浄槽３内へ送風する状態と、送風ファン６から風路１０を介して気流吹出部９へ送風する状態とを切り替える風路切替手段を備えてもよい。そのような風路切替手段を備える場合には、風路の切り替えにより、送風ファン６で生成された気流を気流吹出部９のみに供給し、吹出口９ａから吹き出される気流の風速をさらに高くできる。
【００２８】
本実施の形態であれば、洗浄槽３内へ送風する送風ファン６を用いて気流吹出部９から気流を吹き出すことができるので、気流吹出部９に専用の送風ファンを設ける必要がないという利点がある。ただし、このような構成に限らず、食器洗浄装置１は、洗浄槽３内へ送風する送風ファン６とは別に、気流吹出部９から気流を吹き出すための専用の送風ファンを備えてもよい。
【００２９】
食器洗浄装置１が備える制御装置５０は、以下のように構成されてもよい。制御装置５０の各機能は、処理回路により実現されてもよい。制御装置５０の処理回路は、少なくとも１つのプロセッサ５１と少なくとも１つのメモリ５２とを備えてもよい。処理回路が少なくとも１つのプロセッサ５１と少なくとも１つのメモリ５２とを備える場合、制御装置５０の各機能は、ソフトウェア、ファームウェア、またはソフトウェアとファームウェアとの組み合わせにより実現されてもよい。ソフトウェア及びファームウェアの少なくとも一方は、プログラムとして記述されてもよい。ソフトウェア及びファームウェアの少なくとも一方は、少なくとも１つのメモリ５２に格納されてもよい。少なくとも１つのプロセッサ５１は、少なくとも１つのメモリ５２に記憶されたプログラムを読み出して実行することにより、制御装置５０の各機能を実現してもよい。少なくとも１つのメモリ５２は、不揮発性または揮発性の半導体メモリ、磁気ディスク等を含んでもよい。
【００３０】
制御装置５０の処理回路は、少なくとも１つの専用のハードウェアを備えてもよい。処理回路が少なくとも１つの専用のハードウェアを備える場合、処理回路は、例えば、単一回路、複合回路、プログラム化したプロセッサ５１、並列プログラム化したプロセッサ５１、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものでもよい。制御装置５０の各部の機能がそれぞれ処理回路で実現されてもよい。また、制御装置５０の各部の機能がまとめて処理回路で実現されてもよい。制御装置５０の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置５０の各機能を実現してもよい。単一の制御装置により動作が制御される構成に限定されるものではなく、複数の制御装置が連携することで動作を制御する構成にしてもよい。
【００３１】
実施の形態２．
次に、図４及び図５を参照して、実施の形態２について説明するが、前述した実施の形態１との相違点を中心に説明し、前述した要素と共通または対応する要素には、同一の符号を付して、重複する説明を簡略化または省略する。
【００３２】
図４は、実施の形態２による食器洗浄装置１７を示す模式的な断面図である。本実施の形態２は、実施の形態１と比べて、水滴除去手段の構成が異なる。食器洗浄装置１７は、水滴除去手段として、ワイパー１８を備える。食器洗浄装置１７は、実施の形態１の気流吹出部９及び風路１０を備えない。
【００３３】
ワイパー１８は、洗浄槽３の後面の壁の上端部に配置されている。ワイパー１８は、ゴムのような弾性を有する材料で構成されている。ワイパー１８は、板ゴム状の弾性体でもよい。ワイパー１８の下端は、洗浄槽３の後面の壁の上端部に固定されている。洗浄槽３が筐体２から引き出されるときには、ワイパー１８の上端が蓋体４の下面に接触する。洗浄槽３が筐体２から引き出されると、ワイパー１８が蓋体４の下面に対して摺動する。すなわち、ワイパー１８が蓋体４の下面を拭う。これにより、蓋体４の下面に付着している水滴９０及び食品カスを洗浄槽３内へ落として除去することができる。
【００３４】
本実施の形態であれば、蓋体４の下面に付着していた水滴９０及び食品カスが洗浄槽３の後方へ落下することを確実に防止でき、実施の形態１と同様の効果が得られる。
【００３５】
図５は、本実施の形態２の食器洗浄装置１７が備える洗浄槽３及び蓋体４の一部分とワイパー１８を示す断面図である。図５は、蓋体４が洗浄槽３の上面開口３ａを塞いだときの状態を示す。洗浄槽３の上面開口３ａを塞ぐときに蓋体４が下降すると、図５に示すように、ワイパー１８は前方へ倒れるように変形し、洗浄槽３と蓋体４との間に挟みこまれる。これにより、蓋体４と洗浄槽３との隙間がワイパー１８により封止される。本実施の形態であれば、洗浄槽３及び蓋体４との隙間を封止するシール部材のうちの後方の部分を、ワイパー１８で代用できる。このため、製造コストを低減できる。
【００３６】
実施の形態３．
次に、図６及び図７を参照して、実施の形態３について説明するが、前述した実施の形態１との相違点を中心に説明し、前述した要素と共通または対応する要素には、同一の符号を付して、重複する説明を簡略化または省略する。
【００３７】
図６は、実施の形態３による食器洗浄装置２０を示す模式的な断面図である。本実施の形態３は、実施の形態１と比べて、水滴除去手段の構成が異なる。食器洗浄装置２０は、水滴除去手段として、ワイパー２１及び付勢装置２２を備える。食器洗浄装置２０は、実施の形態１の気流吹出部９及び風路１０を備えない。
【００３８】
付勢装置２２は、ワイパー２１を蓋体４の下面に押し付けるように付勢する。付勢装置２２は、洗浄槽３の後面の壁の上端部の近くに配置されている。ワイパー２１は、ゴムのような弾性を有する材料で構成されている。ワイパー２１は、板ゴム状の弾性体でもよい。
【００３９】
図７は、実施の形態３による食器洗浄装置２０が備える付勢装置２２の構成を説明するための断面図である。図７に示すように、付勢装置２２は、ワイパー２１を付勢する付勢部材としてのコイルばね２２ａと、ワイパー２１の少なくとも一部とコイルばね２２ａとを収納する凹部２２ｂとを備える。凹部２２ｂは、上方に開口している。ワイパー２１は当該開口から凹部２２ｂに出入りする。コイルばね２２ａは、ワイパー２１の下端と凹部２２ｂの底部との間にある。コイルばね２２ａは、ワイパー２１を上方向へ付勢する。
【００４０】
図７は、蓋体４が洗浄槽３の上面開口３ａを塞いでいない状態を示している。すなわち、図７は、洗浄槽３が筐体２から引き出されるときの状態を示している。蓋体４が洗浄槽３の上面開口３ａを塞いでいない状態では、コイルばね２２ａが伸びることで、ワイパー２１の上端が蓋体４の下面に押し付けられる。洗浄槽３が筐体２から引き出されると、ワイパー２１が蓋体４の下面に対して摺動する。すなわち、ワイパー２１が蓋体４の下面を拭う。これにより、蓋体４の下面に付着している水滴９０及び食品カスを洗浄槽３内へ落として除去することができる。
【００４１】
本実施の形態であれば、蓋体４の下面に付着していた水滴９０及び食品カスが洗浄槽３の後方へ落下することを確実に防止でき、実施の形態１と同様の効果が得られる。さらに、本実施の形態であれば、洗浄槽３が筐体２から引き出されるときに、コイルばね２２ａの弾性力によって、ワイパー２１の上端を蓋体４の下面に確実に押し当てることができる。このため、蓋体４の下面に付着している水滴９０及び食品カスをより確実に除去できる。
【００４２】
蓋体４が洗浄槽３の上面開口３ａを塞いだ状態のとき、すなわち蓋体４が図７の位置よりも下方へ変位した状態のときには、コイルばね２２ａが縮むことでワイパー２１が凹部２２ｂ内に収納される。本実施の形態であれば、蓋体４が洗浄槽３の上面開口３ａを塞いだ状態のときにワイパー２１が蓋体４と洗浄槽３との間に挟まれることがないので、ワイパー２１の変形を軽減できる。このため、変形の繰り返しによるワイパー２１の劣化を抑制でき、ワイパー２１の寿命を長くできる。
【００４３】
実施の形態４．
次に、図８を参照して、実施の形態４について説明するが、前述した実施の形態１及び３との相違点を中心に説明し、前述した要素と共通または対応する要素には、同一の符号を付して、重複する説明を簡略化または省略する。
【００４４】
本実施の形態４は、実施の形態１と比べて、水滴除去手段の構成が異なる。食器洗浄装置２３は、水滴除去手段として、ワイパー２１及び付勢装置２４を備える。食器洗浄装置２３は、実施の形態１の気流吹出部９及び風路１０を備えない。本実施の形態４の食器洗浄装置２３は、実施の形態３と比べて、付勢装置２２に代えて付勢装置２４を備える点が異なる。
【００４５】
図８は、実施の形態４による食器洗浄装置２３が備える付勢装置２４の構成を説明するための断面図である。図８に示すように、付勢装置２４は、ワイパー２１の下端部に取り付けられた永久磁石２４ａと、を付勢する付勢部材としてのコイルばね２２ａと、ワイパー２１の少なくとも一部と永久磁石２４ａとを収納する凹部２４ｂと、電磁石２４ｃとを備える。凹部２４ｂは、上方に開口している。ワイパー２１は当該開口から凹部２４ｂに出入りする。電磁石２４ｃは、凹部２４ｂの底部に設置されており、永久磁石２４ａと対向する。電磁石２４ｃには、図示しない電気配線を介して電力が供給される。食器洗浄装置２３が備える制御装置５０は、電磁石２４ｃへの通電のオンオフを制御する。電磁石２４ｃに通電すると、電磁石２４ｃが永久磁石２４ａに対して反発する極性となる。
【００４６】
図８は、蓋体４が洗浄槽３の上面開口３ａを塞いでいない状態を示している。すなわち、図８は、洗浄槽３が筐体２から引き出されるときの状態を示している。図８は、電磁石２４ｃに通電されている状態を示している。電磁石２４ｃに通電すると、永久磁石２４ａに対して反発する磁力が発生し、その反発力によって永久磁石２４ａ及びワイパー２１が上方向へ移動し、ワイパー２１が蓋体４の下面に押し付けられる。この状態で洗浄槽３が筐体２から引き出されると、ワイパー２１が蓋体４の下面に対して摺動する。すなわち、ワイパー２１が蓋体４の下面を拭う。これにより、蓋体４の下面に付着している水滴９０及び食品カスを洗浄槽３内へ落として除去することができる。
【００４７】
本実施の形態であれば、蓋体４の下面に付着していた水滴９０及び食品カスが洗浄槽３の後方へ落下することを確実に防止でき、実施の形態１と同様の効果が得られる。
【００４８】
制御装置５０は、洗い工程またはすすぎ工程の途中で洗浄槽３が筐体２から引き出されるときには、電磁石２４ｃに通電し、付勢装置２４がワイパー２１が蓋体４の下面に押し付けるように制御する。
【００４９】
乾燥工程のときにも、途中までは、蓋体４の下面に水滴９０が付着している可能性がある。このため、乾燥工程の途中で洗浄槽３が筐体２から引き出されるときにも、制御装置５０は、電磁石２４ｃに通電し、付勢装置２４がワイパー２１が蓋体４の下面に押し付けるように制御することが望ましい。
【００５０】
乾燥工程が終了した場合には、蓋体４の下面に水滴９０が付着している可能性はないと考えられる。このため、乾燥工程の終了後に洗浄槽３が筐体２から引き出されるときには、制御装置５０は、電磁石２４ｃに通電せず、付勢装置２４がワイパー２１が蓋体４の下面に押し付けないように制御する。電磁石２４ｃに通電しない状態では、永久磁石２４ａ及びワイパー２１は、図８の位置より下方の位置へ下がり、ワイパー２１の上端が蓋体４の下面に接触しない状態になる。
【００５１】
本実施の形態であれば、乾燥工程の終了後に洗浄槽３が筐体２から引き出されるときには、ワイパー２１の上端が蓋体４の下面に対して摺動する摩擦力が発生しないので、洗浄槽３の引き出しに要する力を軽減できる。また、ワイパー２１の磨耗も抑制できる。
【００５２】
本実施の形態では、永久磁石２４ａ及び電磁石２４ｃによって付勢装置２４がワイパー２１を変位させるようにしているが、例えばモーターなどの他のタイプのアクチュエータを用いてワイパー２１を変位させるようにしてもよい。
【００５３】
以上説明した各実施の形態では、食器を乾燥させる機能を有する食器洗浄装置を例に説明したが、本発明の食器洗浄装置は、食器を乾燥させる機能を有しないものでもよい。すなわち、本発明の食器洗浄装置は、洗い工程及びすすぎ工程のみを行い、乾燥工程を行わないものでもよい。
【符号の説明】
【００５４】
１  食器洗浄装置、  ２  筐体、  ３  洗浄槽、  ４  蓋体、  ５  洗浄ノズル、  ６  送風ファン、  ７  電気配線、  ８  コネクタ、  ９  気流吹出部、  １０  風路、  １７  食器洗浄装置、  １８  ワイパー、  ２０  食器洗浄装置、  ２１  ワイパー、  ２２  付勢装置、  ２３  食器洗浄装置、  ２４  付勢装置、  ９０  水滴
【図１】
2018033517.tif 000003
【図２】
2018033517.tif 000004
【図３】
2018033517.tif 000005
【図４】
2018033517.tif 000006
【図５】
2018033517.tif 000007
【図６】
2018033517.tif 000008
【図７】
2018033517.tif 000009
【図８】
2018033517.tif 000010